(57)【特許請求の範囲】
【請求項１】
複数個のアンテナ素子を有するアンテナ基板部材と、該アンテナ基板部材を取り付けた回転可能なリング状の支持部材と、前記アンテナ基板部材を前記支持部材に押し付ける平板からなるリング状の押さえ部材とを備え、前記支持部材は、外周面に設けられた溝部と、この溝部の下部に隣接して設けられ、径方向外方に突出したリング状の突部と、中心部に設けられた孔を有し、前記アンテナ基板部材は、前記支持部材の前記孔を塞ぐように前記支持部材の上部に載置され、前記押さえ部材は、比較的広い間隔で設けられた複数個の孔と、隣り合う前記孔間に設けられた凸部とを有し、前記押さえ部材が前記アンテナ基板部材上面の外周部に載置された状態で、ネジを前記押さえ部材の前記孔と前記アンテナ基板部材に挿通して前記支持部材にねじ込みして、前記凸部で前記アンテナ基板部材を前記支持部材に押し付けると共に、前記押さえ部材は、前記溝部の上部に位置した状態で、径方向外方に突出し、前記溝部に張架されたベルトが前記支持部材の前記突部と前記押さえ部材の径方向の外方突出部間に配置されたことを特徴とする移動体用衛星通信アンテナ装置。
【請求項２】
前記押さえ部材に設けた前記凸部を、隣り合う前記孔間の中央部に形成したことを特徴とする請求項１記載の移動体用衛星通信アンテナ装置。
【請求項３】
前記押さえ部材に設けた前記凸部を、隣り合う前記孔間において２個形成したことを特徴とする請求項１記載の移動体用衛星通信アンテナ装置。
【発明の詳細な説明】
【０００１】
【発明の属する技術分野】
本発明は、自動車等の移動体における衛星通信、衛星放送受信等に用いて好適な移動体用衛星通信アンテナ装置に関する。
【０００２】
【従来の技術】
従来の移動体用衛星通信アンテナ装置は、図５、図６に示すように、平板状の主プレート５１と補助プレート５２が互いに重ね合わされて、ネジ５３によって組み合わされている。
そして、プレート５１には、歯車５４を取り付けたモータ５５と、プローブ５６を有するコンバーター５７が取り付けられている。
また、補助プレート５２には、軸５８によってプーリ５９が回転可能に取り付けられており、このような構成を備えた複数個のプーリ５９は、主プレート５１の中心部に対して同心円状に配設されている。
【０００３】
また、合成樹脂の成型品からなる回転可能なリング状の支持部材６０は、図６に示すように、外周の全周にわたって歯車部（図示せず）を設けた台形状の溝部６０ａと、溝部６０ａの下部に設けられたリング状の突部６０ｂと、中心部に設けられた孔６０ｃとを有している。
また、円板状のアンテナ基板部材６１には、ここでは図示しないが、複数個のアンテナ素子が同心円状に形成されており、このアンテナ基板部材６１は、支持部材６０の上面に孔６０ｃを塞ぐように配置されている。
また、金属板からなるリング状の押さえ部材６２は、狭い間隔で多数の孔６２ａが形成されており、この押さえ部材６２は、アンテナ基板部材６１の上面の外周部に位置するように載置されている。
そして、多数のネジ６３を、押さえ部材６２の孔６２ａとアンテナ基板部材６１の孔６１ａに挿通して支持部材６０にねじ込みして、押さえ部材６２によりアンテナ基板部材６１を支持部材６０に押し付け、アンテナ基板部材６１と支持部材６０との間の隙間を無くしている。
そして、押さえ部材６２が固定された際は、押さえ部材６２の一部が外周より径方向外方に突出した状態となっている。
【０００４】
そして、押さえ部材６２とでアンテナ基板部材６１を取り付けた支持部材６０は、支持部材６０のリング状の突部６０ｂを複数個のプーリ５９に係合して、回転可能に支持されている。
この時、アンテナ基板部材６１の中心部は、プローブ５６に対向した状態となり、アンテナ素子からの電波をプローブ５６に給電するようになっている。
【０００５】
また、支持部材６０の歯車部を有する溝部６０ａとモータ５５に取り付けられた歯車５４との間に、歯付の無端のベルト６４が張架され、モーター５５の駆動によって、ベルト６４を介して支持部材６０上のアンテナ基板部材６１を回転するようになっている。
この時、支持部材６０の溝部６０ａに張架されたベルト６４の上端は、支持部材６０から外方に突出した押さえ部材６２により脱抜が防止されている。
また、プレート５２には、軸６５によってレバー６６が回転可能に取り付けられ、このレバー６６にはプーリ６７が回転可能に取り付けられると共に、レバー６６とプレート５２との間には、バネ６８が掛け止めされた構成となっている。
そして、プーリ６７がベルト６４の外側面に当接し、バネ６８によってレバー６６を介してプーリ６７を牽引して、ベルト６４の弛みをなくするようになっている。
【０００６】
そして、このような構成を有する移動体用衛星通信アンテナ装置は、自動車等の移動体の屋根に設置され、移動体の移動に伴って、漸次モータ５５が駆動してアンテナ基板部材６１を回転し、静止衛星への指向を調整するようになっている。
【０００７】
【発明が解決しようとする課題】
従来の移動体用衛星通信アンテナ装置は、押さえ部材６２に狭い間隔で多数の孔６２ａを設け、ネジ６３を、押さえ部材６２の孔６２ａとアンテナ基板部材６１の孔６１ａに挿通して支持部材６０にねじ込みして、押さえ部材６２によりアンテナ基板部材６２を支持部材６０に押し付けるようにしたため、押さえのために多数のネジ６３をねじ込みせねばならず、このため、組立作業性が著しく悪く、量産に適さず、コスト高になるという問題がある。
【０００８】
【課題を解決するための手段】
上記課題を解決するための第１の解決手段として、複数個のアンテナ素子を有するアンテナ基板部材と、該アンテナ基板部材を取り付けた回転可能なリング状の支持部材と、前記アンテナ基板部材を前記支持部材に押し付ける平板からなるリング状の押さえ部材とを備え、前記支持部材は、外周面に設けられた溝部と、この溝部の下部に隣接して設けられ、径方向外方に突出したリング状の突部と、中心部に設けられた孔を有し、前記アンテナ基板部材は、前記支持部材の前記孔を塞ぐように前記支持部材の上部に載置され、前記押さえ部材は、比較的広い間隔で設けられた複数個の孔と、隣り合う前記孔間に設けられた凸部とを有し、前記押さえ部材が前記アンテナ基板部材上面の外周部に載置された状態で、ネジを前記押さえ部材の前記孔と前記アンテナ基板部材に挿通して前記支持部材にねじ込みして、前記凸部で前記アンテナ基板部材を前記支持部材に押し付けると共に、前記押さえ部材は、前記溝部の上部に位置した状態で、径方向外方に突出し、前記溝部に張架されたベルトが前記支持部材の前記突部と前記押さえ部材の径方向の外方突出部間に配置された構成とした。
また、第２の解決手段として、前記押さえ部材に設けた前記凸部を、隣り合う前記押さえ部材の前記孔間の中央部に形成した構成とした。
また、第３の解決手段として、前記押さえ部材に設けた前記凸部を、隣り合う前記押さえ部材の前記孔間において２個形成した構成とした。
【０００９】
【発明の実施の形態】
本発明の移動体用衛星通信アンテナ装置の一実施例を図１〜図３に基づいて説明すると、図１は本発明の移動体用衛星通信アンテナ装置の一実施例の平面図、図２は図１の２ー２線における断面図、図３は本発明の移動体用衛星通信アンテナ装置の一実施例の要部の側面図である。
【００１０】
次に、図１〜図３に基づいて本発明の移動体用衛星通信アンテナ装置の一実施例を説明すると、比較的板厚の厚い平板状の主プレート１と比較的板厚の薄い補助プレート２が互いに重ね合わされて、ネジ３によって組み合わされている。
そして、プレート１には、歯車４を取り付けたモータ５と、プローブ６を有するコンバーター７が取り付けられている。
また、補助プレート２には、軸８によってプーリ９が回転可能に取り付けられており、このような構成を備えた複数個のプーリ９は、主プレート１の中心部に対して同心円状に配設されている。
【００１１】
また、合成樹脂の成型品からなる回転可能なリング状の支持部材１０は、図２、図３に示すように、外周の全周にわたって歯車部（図示せず）を設けた台形状の溝部１０ａと、溝部１０ａの下部に設けられたリング状の突部１０ｂと、中心部に設けられた孔１０ｃとを有している。
また、円板状のアンテナ基板部材１１には、ここでは図示しないが、複数個のアンテナ素子が同心円状に形成されており、このアンテナ基板部材１１は、支持部材１０の上面に孔１０ｃを塞ぐように配置されている。
また、金属板からなるリング状の押さえ部材１２は、比較的広い間隔で設けられた複数個の孔１２ａと、隣り合う孔１２ａ間の中央部に設けられた凸部１２ｂとを有しており、この押さえ部材１２は、アンテナ基板部材１１の上面の外周部に位置して、凸部１２ｂがアンテナ基板部材１１の上面に当接するように載置されている。
【００１２】
そして、複数個のネジ１３を、押さえ部材１２の孔１２ａとアンテナ基板部材１１の孔１１ａに挿通して支持部材１０にねじ込みして、押さえ部材１２によりアンテナ基板部材１１を支持部材１０に押し付けて取り付けられている。
そして、押さえ部材１２がネジ１３で取り付けられた時、ネジ１３近傍の押さえ部材１２で、アンテナ基板部材１１を支持部材１０に押し付けると共に、凸部１２ｂで、アンテナ基板部材１１を支持部材１０に押し付けて、アンテナ基板部材１１と支持部材１０との間の隙間を無くしている。
そして、押さえ部材１２が固定された際は、押さえ部材１２の一部が外周より径方向外方に突出した状態となっている。
【００１３】
そして、ネジ１３と押さえ部材１２とでアンテナ基板部材１１を取り付けた支持部材１０は、支持部材１０のリング状の突部１０ｂを複数個のプーリ９に係合して、回転可能に支持されている。
この時、アンテナ基板部材１１の中心部は、プローブ６に対向した状態となり、アンテナ素子からの電波をプローブ６に給電するようになっている。
【００１４】
また、支持部材１０の歯車部を有する溝部１０ａとモータ５に取り付けられた歯車４との間に、歯付の無端のベルト１４が張架され、モーター５の駆動によって、ベルト１４を介して支持部材１０上のアンテナ基板部材１１を回転するようになっている。
この時、支持部材１０の溝部１０ａに張架されたベルト１４の上端は、支持部材１０から外方に突出した押さえ部材１２により脱抜が防止されている。
また、プレート２には、軸１５によってレバー１６が回転可能に取り付けられ、このレバー１６にはプーリ１７が回転可能に取り付けられると共に、レバー１６とプレート２との間には、バネ１８が掛け止めされた構成となっている。
そして、プーリ１７がベルト１４の外側面に当接し、バネ１８によってレバー１６を介してプーリ１７を牽引して、ベルト１４の弛みをなくするようになっている。
【００１５】
そして、このような構成を有する移動体用衛星通信アンテナ装置は、自動車等の移動体の屋根に設置され、移動体の移動に伴って、漸次モータ５が駆動してアンテナ基板部材１１を回転し、静止衛星への指向を調整するようになっている。
【００１６】
また、図４は移動体用衛星通信アンテナ装置の他の実施例を示し、この実施例は、押さえ部材１２に、比較的広い間隔で複数個の孔１２ａと、隣り合う孔１２ａ間に２個の凸部１２ｂを設け、押さえ部材１２をネジ１３止めしたとき、２個の凸部１２ｂで、隣り合う孔１２ａ間のアンテナ基板部材１１を支持部材１０に押し付けるようにしたもである。
その他の構成は、前記実施例と同様で、同一部品に同一番号を付し、ここでは説明を省略する。
そして、隣り合う孔１２ａ間に２個の凸部１２ｂを設けることにより、孔１２ａ間において、アンテナ基板部材１１をより確実に支持部材１０に押し付けることができると共に、孔１２ａの間隔を前記実施例よりも広げることができて、ネジ１３のねじ込み数を少なくできる。
【００１７】
【発明の効果】
本発明の移動体用衛星通信アンテナ装置は、金属板からなるリング状の押さえ部材１２には、比較的広い間隔で設けられた複数個の孔１２ａと、隣り合う孔１２ａ間に設けられた凸部１２ｂとを有し、複数個のネジ１３を、押さえ部材１２の孔１２ａとアンテナ基板部材１１の孔１１ａに挿通して支持部材１０にねじ込みして、押さえ部材１２によりアンテナ基板部材１１を支持部材１０に押し付けて取り付け、ネジ１３近傍の押さえ部材１２で、アンテナ基板部材１１を支持部材１０に押し付けると共に、凸部１２ｂで、アンテナ基板部材１１を支持部材１０に押し付けるようにしたため、従来に比して、ネジ１３のねじ込み数を少なくでき、作業性が良好で、量産性に適し、安価なアンテナ装置を提供できる。
また、押さえ部材１２に設けた凸部１２ｂを、隣り合う孔１２ａ間の中央部に形成することにより、アンテナ基板部材１１をより確実に支持部材１０に押し付けることができ、精度の良いアンテナ装置を提供できる。
また、押さえ部材１２に設けた凸部１２ｂを、隣り合う孔１２ａ間に２個形成することにより、孔１２ａ間において、アンテナ基板部材１１をより確実に支持部材１０に押し付けることができると共に、孔１２ａの間隔を広げることができて、ネジ１３のねじ込み数を少なくでき、より作業性の良好なアンテナ装置を提供できる。
【図面の簡単な説明】
【図１】本発明の移動体用衛星通信アンテナ装置の一実施例の平面図。
【図２】図１の２ー２線における断面図。
【図３】本発明の移動体用衛星通信アンテナ装置の一実施例の要部の側面図。
【図４】本発明の移動体用衛星通信アンテナ装置の他の実施例の要部の側面図。
【図５】従来の移動体用衛星通信アンテナ装置の平面図。
【図６】図５の６ー６線における断面図。
【符号の説明】
１  主プレート
２  補助プレート
３  ネジ
４  歯車
５  モータ
６  プローブ
７  コンバータ
８  軸
９  プーリ
１０  支持部材
１０ａ  溝部
１０ｂ  突部
１０ｃ  孔
１１  アンテナ基板部材
１１ａ  孔
１２  押さえ部材
１２ａ  孔
１２ｂ  凸部
１３  ネジ
１４  ベルト
１５  軸
１６  レバー
１７  プーリ
１８  バネ
【図１】
0003673407.tif 000002
【図２】
0003673407.tif 000003
【図３】
0003673407.tif 000004
【図４】
0003673407.tif 000005
【図５】
0003673407.tif 000006
【図６】
0003673407.tif 000007